(57)【要約】【課題】グロメットを、簡単な構造で防音・防水が可能かつ取り付け容易にする。【解決手段】ワイヤハーネス５を挿通状態にしてパネル４の開口４ａに取り付けられるグロメット１を、開口に係合して保持されるグロメット本体７と、グロメット本体に対して略直角方向に延出するように設けられた延出部８と、グロメット本体の上記延出部とは相反する側にて延出する第２延出部９とにより構成する。延出部に、グロメット本体に向かうスリット１０を延出部の根本近傍まで設け、延出部の根本であるスリットとグロメット本体との間にワイヤハーネスのテープ巻き部分よりも小径の密着部１１を設ける。密着部により電線の外周に対して全周に渡って密着状態にし得るため、電線の外周とグロメットの内面との隙間から音や雨水が漏れ出ることを防止できる。また、スリットを設けた延出部を拡開できるため、カプラを接続された電線でも挿入作業を容易に行うことができる。【選択図】図１
2005093365.tif 000002
【特許請求の範囲】
【請求項１】
電線をパネルに貫通した状態に配線するべく、前記パネルに設けられた開口に取り付けられると共に前記電線を挿通状態にし得るグロメットであって、
前記グロメットが、前記開口に係合し得る係合部を有するグロメット本体と、前記グロメット本体の少なくとも一端側にて前記グロメット本体から前記電線の挿通方向に延出された延出部とを有し、
前記延出部が、その延出端から前記グロメット本体に向けて設けられた切り込みと、挿通状態の前記電線の周方向全周に渡って密着し得るように前記グロメット本体と前記切り込みとの間に設けられた密着部とを有することを特徴とするグロメット。
【請求項２】
前記グロメット本体の前記延出部とは相反する側に、前記グロメット本体から延出するように形成されかつ挿通状態の前記電線の周方向全周に渡って密着し得る密着部を有する第２延出部が設けられていることを特徴とする請求項１に記載のグロメット。
【請求項３】
前記延出部が、前記グロメット本体に対して略直角方向に延出するようにされていることを特徴とする請求項１または請求項２に記載のグロメット。
【請求項４】
前記グロメットの外面に、前記グロメット本体を前記開口に取り付ける時にその挿入方向に引っ張り可能にする把持部が設けられていることを特徴とする請求項３に記載のグロメット。
【発明の詳細な説明】
【技術分野】
【０００１】
本発明は、パネルに設けられた開口に取り付けられるグロメットに関するものである。
【背景技術】
【０００２】
従来、自動車における車室と外部（例えばエンジンルーム）とに渡って配線される電線としてのワイヤハーネスにあっては、車室を形成するパネルに開口を設け、その開口に通すため、そのままでは外部の音や雨水などが漏れてくる虞があり、防音及び防水のために例えばゴム材から形成されたグロメットを開口に取り付けるようにしている。
【０００３】
そのようなグロメットとして、開口に係合させるグロメット本体の空間にコ字形断面の環状形状の遮音体を入れると共に、グロメット本体の内面と遮音体との間に防水用の液状硬化性物質を流し込むようにしたものがある（例えば、特許文献１参照。）。また、パネルの開口に取り付けられるグロメット本体と、グロメット本体に対して車室内側及び外部側にそれぞれ延出された各延出部とを有し、その車室内側延出部を、ワイヤハーネスを曲げて配線することができるように大径でありかつ曲げられたワイヤハーネスを通すためのスリット付き孔を有する形状に形成し、外部側延出部をワイヤハーネスを嵌合密着し得る内径にて形成したものがある（例えば、特許文献２参照。）。
【０００４】
上記各グロメットに対して、グロメットを略Ｌ字状に形成し、例えば車室内側の他の部品との干渉を避けるために車室内側でワイヤハーネスをパネルに沿わせるようにガイドするようにしたものがある。
【０００５】
そのようなＬ字状グロメットの一例を図９に示す。図において、グロメット３１は、車室２とエンジンルーム３とを仕切るパネル４に設けられた開口４ａに、例えばグロメット本体３２の外周に設けられた周方向溝７ｂを係合させて取り付けられている。グロメット本体３２車室２側には、グロメット本体３２と共にＬ字状をなすことにより取り付け状態でパネル４に沿うようにされた延出部３３が設けられ、エンジンルーム３側には第２延出部３４が設けられている。これら第２延出部３４からグロメット本体３２を介して延出部３３にワイヤハーネス５が挿通される。
【０００６】
このようなＬ字状グロメットの場合には、ワイヤハーネス５をグロメット３１に挿通する作業が困難になるため、例えば図９に示されるように延出部３３及びグロメット本体３２にスリット３５を設けると良い。
【０００７】
上記Ｌ字状グロメット３１にワイヤハーネス５を挿通する作業を行う場合には、図１０に示されるように、根本まで巻いて軸線方向長さを短くした第２延出部３４側から複数本の爪１３を有する治具を差し込み、爪１３の先端部をスリット３５から外に出した状態で、何らかの倍力機構により各爪１３を互いに離反する向きに変位させて両延出部３３・３４を拡開する。このようにＬ字状グロメット３１であっても、スリット３５を設けることにより、そのスリット３５を設けた側の延出部３３を何ら問題なく拡開させることができるため、ワイヤハーネス５に接続された複数のカプラ５ａにより膨らんだ部分をグロメット３１に容易に挿入することができ、作業が楽である。
【０００８】
そして、爪１３を引き抜いて外した後、グロメット３１をパネル４の開口４ａに取り付ける。このグロメット３１のパネル４への取り付け作業にあっては、図１１に示されるように、グロメット本体３２のスリット３５の両側部分３２ａを左右に開くようにして、その開かれた部分に図の矢印Ｃに示されるように指を入れて把持し、その把持した状態でグロメット本体３２を開口４ａから車室側へ図の矢印Ｄに示されるように引っ張り込む。なお、グロメット本体３２には開口４ａの大きさに合わせた外周部分に例えば周方向溝が設けられており、上記引っ張り込むことにより、周方向溝が開口４ａの縁部に嵌り込み、パネル４に取り付けられる。
【特許文献１】特開平１０−１２６９２６号公報
【特許文献２】特開平８−２１２８５８号公報
【発明の開示】
【発明が解決しようとする課題】
【０００９】
上記特許文献１のものにあっては、防音・防水のために遮音体と液状硬化性物質とを用いるため、部品点数の増大や作業の繁雑化となり、コスト高になるという問題がある。また、特許文献２のものにあっては、車室内側の延出部が大径に形成され、その大径の周壁にワイヤハーネスを曲げて通すための孔が２箇所に設けられており、その一方に曲げたワイヤハーネスを通すものであり、大径によるワイヤハーネスとの隙間及び他方の孔による開口があるため、防音・防水に不利であるという問題がある。
【００１０】
また、上記従来例として示した図示例のものでは、車室内側及び外部側の両延出部の内径がワイヤハーネスに嵌合可能な大きさであり、防音・防水対策上有利ではあるが、グロメットの取り付け作業を容易にし得る切り込みがグロメット本体に至るように長いため、その切り込みからの透過音などが生じる虞があり、そのための対策が別途必要になるなどの問題がある。
【課題を解決するための手段】
【００１１】
このような課題を解決して、簡単な構造で防音・防水が可能であり、かつ取り付け容易なグロメットを実現するために本発明に於いては、電線（５）をパネル（４）に貫通した状態に配線するべく、前記パネル（４）に設けられた開口（４ａ）に取り付けられると共に前記電線（５）を挿通状態にし得るグロメット（１）であって、前記グロメット（１）が、前記開口（４ａ）に係合し得る係合部（７ｂ）を有するグロメット本体（７）と、前記グロメット本体（７）の少なくとも一端側にて前記グロメット本体（７）から前記電線（５）の挿通方向に延出された延出部（８）とを有し、前記延出部（８）が、その延出端から前記グロメット本体（７）に向けて設けられた切り込み（１０）と、挿通状態の前記電線（５）の周方向全周に渡って密着し得るように前記グロメット本体（７）と前記切り込み（１０）との間に設けられた密着部（１１）とを有するものとした。
【発明の効果】
【００１２】
このように本発明によれば、延出部に電線挿通方向に設けた切り込みの切り込み方向端のグロメット本体側（延出部の根本側）の内周面に、周方向に全周渡って連続することにより電線の外周に密着し得る密着部を設けて、その密着部により電線の外周を全周に渡って密着状態にし得るため、電線の外周とグロメットの内面との隙間から音や雨水が漏れ出てくることを防止できることから、防音効果及び防水効果が大である。また、延出部に電線挿通方向に切り込みを設けており、その切り込みを設けた部分の延出部を大きく拡開することができるため、例えば電線の先端部にカプラが接続されている場合（特に複数のカプラが接続されて電線よりも膨らんだ塊となっている場合）の挿入作業を容易に行うことができる。
【００１３】
また、エンジンルームと車室とを仕切るパネルに電線を通したもので、エンジンルーム側の振動源の振動を電線が拾った場合には電線が微振動する虞がある。そのような場合でも、その微振動を密着部で遮断することができる。これにより、特別に防振材を用いることなく、何らかの振動源の振動が電線（の外皮）を介して車室内に伝わって車室内で微振動を引き起こすことを防止することができる。
【００１４】
特に、グロメット本体の上記延出部とは相反する側にも挿通状態の電線と密着し得る密着部を有する第２延出部が設けられていると良い。これによれば、パネルを挟んで両側で各延出部により電線を密着状態に包むようにすることができるため、防音・防水効果をより一層向上し得る。
【００１５】
また、グロメット本体に対して略直角方向に延出するように延出部が形成されていることにより、例えば電線を最小曲げ半径で曲げた状態に保持することができ、電線をパネルに沿わせるように配線することができるため、延出部近傍に他の部品が存在するようなレイアウトであっても、電線と他の部品との干渉を回避することができる。
【００１６】
また、グロメット本体の外面に、グロメット本体を開口に取り付ける時にその挿入方向に引っ張り可能にする把持部が設けられていると良い。これによれば、略Ｌ字状に形成されたグロメットにおいて延出部側に引っ張ってグロメット本体をパネルの開口に取り付ける場合に、延出部を把持することが困難であっても、把持部を把持して上記引っ張る作業を行うことができ、グロメットの取り付け作業性が良い。
【発明を実施するための最良の形態】
【００１７】
以下、本発明の実施の形態を、図面を参照しながら説明する。図１は本発明に基づくグロメット１を自動車の車室２とエンジンルーム３とを仕切るパネル４に取り付けた状態を示す要部破断側面図である。図に示されるように、グロメット１内には、車室２とエンジンルーム３とに渡って配設される電線としてのワイヤハーネス５が挿通されている。なお、ワイヤハーネス５の先端（図では車室内側のみを示している）には各ケーブルに対応して複数のカプラ５ａが接続されている。また、ワイヤハーネス５の外周には、複数本のケーブルを束ねるために、少なくともグロメット１にへの挿通部分の範囲にテープが巻かれている。
【００１８】
グロメット１は、例えばゴム製の弾性材からなり、図２及び図３に併せて示されるように、パネル４に設けられた開口４ａに嵌る大きさの大径に形成されかつ内部に空室６を有するグロメット本体７と、グロメット本体７と合わせて略Ｌ字状になるようにグロメット本体７に対して略直角方向に延出された筒状の延出部８と、グロメット本体７のパネル４を挟んで上記延出部８とは相反する側に設けられた筒状の第２延出部９とを有する形状に形成されている。両延出部８・９は、共に、挿通されるワイヤハーネス５のテープ巻き部分の外径よりも小径となる内径にて形成され、かつ空室６を介して互いに連通している。なお、空室６は、ワイヤハーネス５の曲がりを許容するのに十分に余裕のある大きさにされている。
【００１９】
そのグロメット本体７の最外周部分であって、取り付け状態でエンジンルーム３側に位置する部分には開口４ａよりも大径の外向フランジ部７ａが設けられ、その外向フランジ部７ａの取り付け状態における車室２側には開口４ａと略同一径に形成された係合部としての周方向溝７ｂが設けられている。この周方向溝７ｂ内に開口４ａの縁部が入り込んで互いに係合することにより、グロメット１がパネル４に取り付けられる。また、取り付け状態で外向フランジ部７ａにおけるパネル４のエンジンルーム３側の面に当接する部分には周方向突条からなるリップ７ｃが形成されており、外向フランジ部７ａ及びリップ７ｃ自身の弾性復元力によりリップ７ｃがパネル４に弾発的に密着して、グロメット１の外周面と開口４ａとの隙間からの音の漏れや浸水を防止することができる。
【００２０】
延出部８には、その延出方向端からグロメット本体７側に向けて切り込みとしてのスリット１０が設けられている。このスリット１０の切り込み方向はワイヤハーネス５の挿通方向と同じであって良く、その切り込み方向端は延出部８の根本（グロメット本体７側）の近傍までである。すなわち、スリット１０により、延出部８はその周方向に左右に分割されているが、延出部８の根本の部分は周方向に連続する筒状をなしており、その部分がワイヤハーネス５のテープ巻き部分の外径よりも小さな内径からなる密着部１１として設けられている。また、グロメット本体７には、その車室側突出部の剛性を確保するための橋桁状のリブが形成されていると共に、そのリブから延出部８の延出方向とは相反する側に舌片状の把持部１２が延出するように形成されており、このようにしてグロメット１に把持部１２が一体に設けられている。
【００２１】
次に、このように構成されたグロメット１のパネル４への取り付け要領を示す。まず、第２延出部９をその延出方向端側から半径方向外側に巻いて、図４に示されるようにその根本まで巻き付けておくことにより、第２延出部９の軸線方向長さがワイヤハーネス５の挿入作業に邪魔になることを回避できる。図示例で示すように第２延出部９を薄肉に形成しておくことにより、上記巻き付け作業を容易に行うことができる。
【００２２】
また、上記したように各延出部８・９の内径は挿通するワイヤハーネス５のテープ巻き部分の外径よりも小径のため、そのままではワイヤハーネス５の挿入作業が困難である。そのため、図５に示されるように、従来例で示したのと同様に複数本の爪１３を有する治具を両延出部８・９に貫通するように差し込んで、各爪１３を互いに開かせて両延出部８・９を拡開する。そして、ワイヤハーネス５を図の矢印Ａに示されるように両延出部８・９に対して挿入する。この時、両延出部８・９が拡開されていることから、ワイヤハーネス５の先端に接続された複数のカプラ５ａによる大きな塊部分、及びワイヤハーネス５のテープを巻いて大径になったテープ巻き部分を容易に挿入することができる。その後、治具を引き抜き、第２延出部９の巻きを元に戻す。
【００２３】
なお、治具を差し込んだ状態では両延出部８・９が強制的に直線上に並ぶように変形するが、例えば第２延出部９の根本部分に図に示されるように蛇腹部１４を設けておくことにより、第２延出部９の軸線の向きを容易に変更可能であり、上記直線上にすることに無理な応力が発生することがない。また、延出部８側ではスリット１０部分が大きく拡開し得るため、同様に何ら問題が生じることがない。
【００２４】
グロメット１にワイヤハーネス５を挿通状態にしたら、図６に示されるように、エンジンルーム３側からグロメット１の延出部８をパネル４の開口４に挿入し、グロメット本体７の延出部８側を車室２内に突出させる。そして、把持部１２を指で把持して矢印Ｂに示されるように車室２内側にグロメット１を引っ張り込む。その引っ張りにより、外向フランジ部７ａがパネル４に衝当すると共に周方向溝７ｂが開口４ａと係合するまでグロメット本体７を引っ張り込むことができる。その周方向溝７ｂと開口４ａとの係合により、グロメット１がパネル４に取り付けられかつ保持される。
【００２５】
なお、グロメット本体７には、周方向溝７ｂの車室内側の土手部を形成する凸状部が形成されているが、ワイヤハーネス５の外径よりも十分大きな空室６があり、その部分が半径方向内向きに弾性変形可能であるため、開口４ａの縁がその凸状部を乗り越えて周方向溝７ｂ内に突入状態になることは容易である。
【００２６】
本発明に基づくグロメット１にあっては、延出部８の根本に密着部１１を設けたためその密着部１１の手前までしかスリット１０を設けることができず、そのため従来例のように延出部８をスリット１０の左右で大きく開いて指を入れて延出部８を把持することが困難である。それに対して把持部１２を設けたことから、上記したように把持部１２を把持してグロメット１の取り付け作業を容易に行うことができる。
【００２７】
さらに、スリット１０を延出部８の途中までの長さにして、延出部８の根本に密着部１１を設けたことから、その密着部１１によりワイヤハーネス５の外周を全周に渡って隙間無く密着状態に包むことができる。これにより、延出部８の内周面とワイヤハーネス５の外周との間に、音が漏れたり雨水などが浸水したりするような隙間を無くすことができるため、防音・防水効果が大となる。このように、遮音材や防水材などの用いることなく、簡単な構造により防音・防水を行うことができる。
【００２８】
また、第２延出部９にあっても、例えばワイヤハーネス５のテープ巻き部分の外径よりも小径にしておくことにより、第２延出部９によりワイヤハーネス５のテープ巻き部分を締め付けるようになるため、第２延出部９の全体がワイヤハーネス５に対する密着部となり得る。これにより、ワイヤハーネス５のテープ巻き部分の外周面に多少の凹凸があっても、延出部全体で隙間をより確実に無くすことができるため、防音・防水効果をより一層確実なものとし得る。特に、エンジンルーム３側に第２延出部９を配置した場合には、高い防水性を必要とするが、上記した簡単構造でそれを達成することができる。また、上記したように第２延出部９の内径を小径にしても作業性に影響を及ぼすことはない。なお、この第２延出部９にあっても、延出部８と同様に一部に密着部を残してスリットを設けても良い。このようにすることにより、ワイヤハーネス５の挿入作業時に第２延出部９を巻き取っておくようにする必要が無く、挿入作業を容易に行うことができる。
【００２９】
また、図示例では延出部８の肉厚が第２延出部９に対して厚肉に形成されていることから、略直角に曲折されたワイヤハーネス５をその状態に保持する力を確保することができる。それに対して、ワイヤハーネス５の挿入作業時において延出部５を拡開する必要があるが、厚肉の場合には大きな拡開力が必要になるため、切り込み１０を設けて、延出部８の切り込み１０における左右の部分を開いて拡開状態にするようにしている。これにより、最小曲げ半径で曲げたワイヤハーネス５の自然な戻り力に抗し得る保持力の確保と、ワイヤハーネス５の挿入時の作業性とが両立可能である。
【００３０】
なお、図１の装着状態にあっては、さらに各延出部８・９に対してそれぞれの外周面及び外方に露出するワイヤハーネス５に対してテープを巻くようにしても良い。これにより、より一層防音・防水効果を高めることができる。
【００３１】
また、上記図示例では密着部１１を、延出部８の内周面であってその延長上の部分に設け、ワイヤハーネス５のテープ巻き部分の外径よりも小径となるように形成したが、図７に示されるように半径方向内向きの周方向突条からなると共にその突出端までの径がワイヤハーネス５のテープ巻き部分の外径よりも小径となる密着部１５を設けても良い。これによれば、密着部１５の突形状の弾性変形によりワイヤハーネス５の外周により一層密着し得るため、より一層の防音・防水効果が得られる。なお、この密着部１５の周方向に対する設置範囲は、ワイヤハーネス５の曲がりにおける半径方向外側の略半周程度あって良いが、全周に渡って連続する周方向突条として設けても良い。また、スリット１０を、幅を有する形状のものを示したが、線状の単なる切り込みのみとしても良い。これによれば、治具で拡開した後に治具を取り除くことにより、切り込みの端面同士が密着状態になり得るため、延出部８に外観上の隙間を無くすことができる。
【００３２】
次に第２の実施形態について、図８を参照して以下に示す。なお、上記図示例と同様の部分については同一の符号を付してその詳しい説明を省略する。この第２の実施形態のグロメット２１にあっては、グロメット本体７に対して取り付け状態で車室２側となる延出部２２が同軸的に設けられている。したがって、第２延出部９とも同軸的になる。なお、延出部２２の根本となるグロメット本体７側の部分には密着部としての蛇腹部２３が設けられている。また、延出部２２に設けられているスリット２４は周方向に等ピッチに４本配設されており、それぞれの切り込み方向は上記図示例と同様にワイヤハーネス５の挿通方向であり、切り込み方向端は蛇腹部２３の手前までである。なお、スリット２４の数は任意である。
【００３３】
このように構成されたグロメット２１においても、延出部２２に設けられたスリット２４が密着部２３の手前までであり、挿通状態のワイヤハーネス５のテープ巻き部分の外周に対して密着部２３が全周に渡って隙間無く密着し得るため、上記と同様の効果を奏し得る。
【００３４】
なお、上記各図示例にあっては、グロメット本体７が、係合部としての周方向溝７ｂを有する部分（開口４ａに対応する部分）及び延出部８との間の空室６を形成する部分とからなるように示されているが、グロメット本体７の形状をこれに限るものではない。例えば、周方向溝７ｂを有する環状部材のみをグロメット本体としても良い。その場合には、延出部８に相当する延出部自身が略Ｌ字状に形成されたものとなる。
【産業上の利用可能性】
【００３５】
本発明にかかるグロメットは、簡単な構造により防音・防水を行い得ると共に取り付け作業を簡単に行うことができ、特に自動車のパネルを貫通させるようにワイヤハーネスを配線する場合等に有用である。
【図面の簡単な説明】
【００３６】
【図１】本発明に基づくグロメットのパネルに取り付けた状態を示す要部破断側面図である。
【図２】グロメットの側断面図である。
【図３】グロメットの外観を示す斜視図である。
【図４】ワイヤハーネス挿入前のグロメットの処理を示す図２に対応する図である。
【図５】ワイヤハーネスのグロメットへの挿入要領を示す斜視図である。
【図６】グロメットのパネルへの装着要領を示す側断面図である。
【図７】密着部の他の例を示す図２に対応する図である。
【図８】グロメットの他の例を示す側断面図である。
【図９】従来のグロメットのパネルに取り付けた状態を示す要部破断側面図である。
【図１０】従来のワイヤハーネスのグロメットへの挿入要領を示す斜視図である。
【図１１】従来のグロメットのパネルへの装着要領を示す側断面図である。
【符号の説明】
【００３７】
１  グロメット
４  パネル
４ａ  開口
５  ワイヤハーネス（電線）
５ａ  カプラ
６  空室
７  グロメット本体
７ｂ  係合部
８  延出部
１０  スリット（切り込み）
１１  密着部
【図１】
2005093365.tif 000003
【図２】
2005093365.tif 000004
【図３】
2005093365.tif 000005
【図４】
2005093365.tif 000006
【図５】
2005093365.tif 000007
【図６】
2005093365.tif 000008
【図７】
2005093365.tif 000009
【図８】
2005093365.tif 000010
【図９】
2005093365.tif 000011
【図１０】
2005093365.tif 000012
【図１１】
2005093365.tif 000013